Podtech/llm-jp-corpus-v4-ja_patent huggingface dataset:
(57)【要約】    【課題】  より効率的に梅エキスを抽出できるとともに、品質の高い梅エキスの製造方法を提供する。    【解決手段】  複数の青梅をその果肉が十分に柔らかくなるまで煮込んだ後、その柔らかくなった青梅を熱湯中で潰して煮汁を作るとともに該煮汁から青梅の種と皮と果肉とをざるや袋などで濾すことによって取り除き、その後煮汁から水分を十分に蒸発させることで高品質な梅エキスを濃縮する。【選択図】なし【特許請求の範囲】
【請求項１】
青梅をその果肉が柔らかくなるまで煮込んだ後、その青梅を潰して煮汁を作るとともに該煮汁から青梅の種と皮と果肉とを取り除き、その後煮汁から水分を蒸発させることを特徴とする梅エキスの製造方法。
【発明の詳細な説明】
【技術分野】
【０００１】
本発明は、梅エキス（梅肉エキス）の製造方法に関する。
【背景技術】
【０００２】
従来の一般的な梅エキスの製造方法は、例えば、下記の特許文献１に開示されている。
【０００３】
すなわち、まず青梅をすり下ろすか果肉を粉砕することによって種を除去し、すり下ろした果肉から果汁を搾り出して、この果汁を煮詰めることによって梅エキスを生成していた。
【０００４】
また、果汁を搾り出さずに、梅肉の粉砕物をそのまま煮詰めることについても開示されている。
【先行技術文献】
【特許文献】
【０００５】
【特許文献１】特開２００６−６１０３２号公報
【発明の概要】
【発明が解決しようとする課題】
【０００６】
しかし、生の果肉の粉砕物を絞り出しても、果汁をすべて絞り出すことはできず、梅エキス成分の多くが果肉に付着したまま廃棄されることとなる。梅エキスは、青梅１ｋｇあたり数十ｇ程度しか抽出できないものであるため、より効率的に梅エキスを抽出可能な方法が望まれていた。
【０００７】
また、梅肉の粉砕物をそのまま煮詰めた場合には、果肉の繊維質や皮の成分が混入したままであるため品質の高い梅エキスが生成されないという問題がある。
【０００８】
そこで、本発明は、より効率的に梅エキスを抽出できるとともに、品質の高い梅エキスの製造方法を提供することを目的とする。
【課題を解決するための手段】
【０００９】
本発明は、上記目的を達成するために、次の技術的手段を講じた。
【００１０】
すなわち、本発明の梅エキスの製造方法は、青梅をその果肉が柔らかくなるまで煮込んだ後、その青梅を潰して煮汁を作るとともに該煮汁から青梅の種と皮と果肉とを取り除き、その後煮汁から水分を蒸発させることを特徴とするものである。
【００１１】
本発明によれば、青梅を煮て柔らかくすることで簡単に青梅を潰すことができ、潰した青梅の果肉から熱湯中で梅エキス成分を溶出させることにより梅エキス成分を煮汁に効率的に溶出させることができ、この煮汁を濾すなどによって繊維質や皮などの固体成分を含まず梅エキス成分が溶け込んだ透明な煮汁のみを分離して、この煮汁を煮詰めることによって、高品質な梅エキスを生成することができる。
【発明を実施するための形態】
【００１２】
以下、本発明の好適な実施形態について説明する。
【００１３】
まず、赤く熟していない青梅のみを用意する。用意する個数は、作りたい梅エキスの量に応じて適宜の個数とする。用意した複数の青梅を十分に水洗いして大きめの土鍋に入れ、複数の青梅が水面下に浸る程度まで水を土鍋に入れる。
【００１４】
次に、土鍋をガス又はその他の燃料の上に乗せて中火で煮込み、沸騰しないように注意しながら、青梅が十分柔らかくなるまで煮込む。
【００１５】
次に、果肉が柔らかくなった青梅を土鍋中でヘラなどで潰して、皮と果肉と種とを分離させる。この際、火を止めておくのが好ましいが、中火で煮込んでいるときに青梅を潰してもよい。また、青梅を土鍋から取り出して、取り出した青梅を潰して種と皮を分離させて果肉のみを土鍋内に戻してもよい。
【００１６】
次に、空の第２の鍋と金属製のざるを用意し、この第２の鍋の上にざるを乗せ、土鍋の梅を何回かに分けてざるで濾して、煮汁を第２の鍋に集め、ざるに残った梅の皮、果肉及び種は捨てる。
【００１７】
第２の鍋に集めた煮汁には、ざるの網目が荒いために細かい皮や果肉が混入しているため、空の第３の鍋を用意して、絹又は木綿の袋を用いて煮汁をさらに濾し、袋に残った皮や果肉は捨てる。
【００１８】
第３の鍋には、梅エキス成分が溶け込んだ透明な煮汁のみが残り、この煮汁が「うめず」となる。この透明な煮汁の入った鍋を火にかけ、最初は強火で沸騰させて水分を飛ばし、煮汁が煮こぼれしないように火加減を調節しながら２時間程度煮ていると水分がほぼ蒸発して、黒く粘度の高い梅エキスが鍋の底に生成される。梅エキスに適度な粘りが出てきたら火を止めて梅エキスを冷まし、梅エキスをヘラなどを用いて瓶などに移し替える。
【００１９】
この濃縮梅エキスは、賞味期限は無限で何年でも保存可能であり、年を経るほどエキスが固くなって固体化していき、健胃剤や健腸剤として用いることが可能である。
(57)【要約】【課題】エリザベスカラーの形状を改良することで、怪我や病気の治療をおこなう際の機能性と安全性の向上を図った製品を提供する。【解決手段】エリザベスカラー本体側面の作業用開閉口より頭部、耳部等への投薬治療をおこなうことができるだけでなく、機嫌の悪い動物を対処するため前面ネットによる噛みつき防止を改善できることで機能性と安全性を両立できる。【選択図】図１
2014018199.tif 000002
【特許請求の範囲】
【請求項１】
前面部分に脱着式ネットと、エリザベスカラー本体に作業用の開閉口を設けたことを特徴とするエリザベスカラー。
【請求項２】
本体の装着はスナップ留具によるもので、ラッパ状に動物の首へ巻くことで装着でき、動物のサイズに合わせた大きさと、複数のスナップ留具による調節が可能な請求項１記載のエリザベスカラー。
【発明の詳細な説明】
【技術分野】
【０００１】この発明は、動物の手術や治療等に必要なエリザベスカラーの形状に関する。
【背景技術】
【０００２】従来、動物の手術や治療の際に用いられる保護具として、治療中の患部を舐めたり噛んだりすることで完治を遅らせることを防止する、図２（ア）（イ）にその一例の概略を示す如きエリザベスカラー１が一般的に用いられてきている。【０００３】すなわち、上記従来用いられているエリザベスカラー１の形状は、扇丈で薄手の合成樹脂タイプの物を動物の首に巻いて使用するものがある。【０００４】下記文献１には、エリザベスカラーで本体の素材を重視し動物にかかるストレスを軽減できるものが記載される。
【先行技術文献】
【０００５】
【文献１】
実用新案登録第３１２６９７６号
【発明の概要】
【発明が解決しようとする課題】
【０００６】従来のエリザベスカラーは、動物の首に巻くことで患部を舐めさせないことを目的とし、治療が完治するまでエリザベスカラーを装置したままの状態である。その間、頭部や耳への投薬、治療の場合などはエリザベスカラーを外さなければならず、機能性に問題がある。【０００７】また、エリザベスカラーを装着時、動物の口部分より前面が開口している為、機嫌の悪い動物への投薬、治療をおこなう場合は噛まれることもあり、安全性に問題がある。
そこで、この発明は、エリザベスカラーを装着したままで頭部や耳への投薬、治療を安全におこなうことができる図１（ア）（イ）の本発明エリザベスカラーを提供することを課題とする。
【課題を解決するための手段】
【０００８】以上の課題を解決するために、第一発明は、エリザベスカラー本体側面に作業用の開閉口（図３（３）参照）を設けることで、エリザベスカラーを外さずに動物の頭部や耳等へ投薬治療ができる機能性を特徴とする。【０００９】第二発明は、エリザベスカラー本体を装着した後、前面部分にネット（図３（２）参照）を取り付けることで噛みつき防止が解決される。
脱着式により投薬、治療後は前面ネットを取り外すことで従来通り食事、水飲みも可能である。
【発明の効果】
【００１０】第一発明、または第二発明によれば、動物の手術後の治療、投薬作業の向上により完治を早め、噛みつき防止による安全性に効果を発揮することができる。
【図面の簡単な説明】
【００１１】
【図１】この発明の一実施形態を示す斜視図である。
【図２】従来技術を示す斜視図である。
【図３】図１（イ）詳細図である。
【発明を実施するための形態】
【００１２】この発明の一実施形態を、図１、図３に示す。
エリザベスカラー本体の素材はビニール製であり、この本体１の側面には、作業用の開閉口（図３（３）参照）が設けられている。前面のネット部分（図３（２）参照）は取外し可能で動物の噛みつき防止の為に装着することがでる。
【００１３】「実施形態の効果」
この実施形態によれば、エリザベスカラー本体側面の開閉口（図３（３）参照）より投薬、治療ができる。
【００１４】以上の実施形態によれば、前面部分のネット（図３（２）参照）を装着することで噛みつき防止による安全性と作業効率向上が期待できる。
【００１５】以上の実施形態によれば、エリザベスカラー本体の装着は調節可能なホック式で、動物のサイズに合わせた大きさを選択できる
【００１６】「他の実施形態」
開閉口（図３（３）参照）を付けることで頭部、耳部等の投薬が可能となるが、患部に合わせた開閉口を複数設けたものでも良い。
【００１７】以上の実施形態では、エリザベスカラー、前面ネットの素材はビニール製であったが、他の実施形態では、プラスチック製や、合成樹脂製でも良く、色や柄等のカラーリングを設けたものでも良い。
【００１８】以上の実施形態では、前面ネットの取付方法は本体取付穴へ差し込んで装着していますが、他の実施形態では、ゴム式や、ホック式でも良く、安全性に問題ない構造であれば良い。
【符号の説明】
【００１９】１、エリザベスカラー本体  ２、前面ネット  ３、作業用開閉蓋  ４、作業用開閉口
５、前面ネット取付穴      ６、スナップ留具  ７、動物
【図１】
2014018199.tif 000003
【図２】
2014018199.tif 000004
【図３】
2014018199.tif 000005
【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
前面部分に脱着式ネットと、エリザベスカラー本体に作業用の開閉口を設けたとを特徴とするエリザベスカラー。
【請求項２】
本体の装着はスナップ留具によるもので、ラッパ状に動物の首へ巻くことで装着でき、複数のスナップ留具による調節が可能な請求項１記載のエリザベスカラー。
(57)【要約】【課題】     刃物による殺傷犯罪を防止する刃物を得ること。【解決手段】   刃の機能を維持しつつ刃物の先端部にストッパを設け、人体へ刃物の食込みを防止すること。【選択図】        図９
2014018348.tif 000002
【特許請求の範囲】
【請求項１】
刃の機能を維持しつつ、刃物の先端に人体への食い込みを防止するストッパを設けたことを特徴とする殺傷犯罪防止刃物。
【発明の詳細な説明】
【技術分野】
【０００１】
本発明は刃物に関する。
【背景技術】
【０００２】
銃禁止の日本の犯罪の最大は刃物によるものであり、殺傷、おどし、ハイジャックなど刃物が使用された。従来の刃物は、容易に人を刺すことが出来、これ等犯罪を防止する工夫は今までになかった。
【発明の開示】
【発明が解決しようとする課題】
【０００３】
通常の刃物として使え、しかも人を刺すなど凶器としては使えない刃物を創ること。
【課題を解決するための手段】
【０００４】
刃は活かしながら刃物の先端部にストッパを設け、殺傷など、凶器として使用できないようにすること。
【発明の効果】
【０００５】
ナイフによる殺傷事件の多い昨今、料理用、登山用など従来のナイフやハサミなど刃物の目的を果たしつつ、人を刺し殺す事が出来ないので、本発明により犯罪が画期的に減少する安全な社会、国家、人類のためになる上、犯罪による警察費用、病院費用等、公費、私費の節減にもつながる画期的な発明である。
【発明を実施するための最良の形態】
【０００６】
刃を活かしつつ、刃物の先端部にストッパを設ける。
【実施例１】
【０００７】
図１は公知の刃物で、１は把手、２は刃を示す。図２はナイフ、包丁、刀、ハサミなど公知の刃物は刃２が人体３に容易に刺さり易く、人３は傷つき、場合によっては死に至る事を説明する図である。
図３は本発明第１の実施例で、刃２の先端に体内に入らない丸型ストッパ４を設けた側面図である。図４は本発名実施例を正面から観た図である。手前がストッパ４で、２が刃の先端である。
図５は本発明の第２の実施例で、刃２の先端刃先の上部に体内侵入防止角型孔明ストッパ５を設けた側面図である。図６は本発明第二の実施例図５を正面から観た図で、軽量化の為にストッパ５に孔６を多数設けた実施例である。正面から見ると殺傷防止ストッパ５の下部に刃物２の先端が見える。
図７は本発明の第３の実施例で、刃２の切先８を生かしつつ、切先８の上部にリング状ストッパ７を設け、これをアーム９及び９’で支持する本発明実施例の側面図である。
図８は本発明第３の実施例図７を正面から見た図で、
ストッパ７がリング状であるので軽いので、格納のための移動や包丁さばきが軽快になる。
図９は本発明第４の実施例で、刃２の先端部は下刃２と上刃１０があり、切先８を形成しているので、色々な加工をし易い刃物となっている上、ストッパ１２があるので人を刺せない。刃物の上部先端にまっすぐ伸びたアーム１１を設け、この先端を上に曲げストッパ１２とする。
図１０は図９を正面から見た図で、この図で判るようにこの第４の実施例は正面から見てフラットであり、積重ね可能で取扱いや収納スペース上便利である。
図１１は本発明第５の実施例で、飛出しナイフ（バネあり又はバネなし）である回転軸１４を中心に葉刃１５が飛出すが、刃先１６より１０ミリ程度下った処に三角形ストッパ１７を設ける。ナイフを畳むとグリップ１５の外に出てストッパ１７に設けた凹み又は穴１８はバネの無いナイフの場合、ナイフの刃１５を引出すのにストッパ１７の凹み又は穴１８を持てるので便利である。前記で１０ミリと例を述べたのは１０ミリ程度の混入では身体は致命傷にならないからである。
第１２図は本発明第６の実施例でハサミ１９の刃２０の両先端２１よりやや内側にストッパ２２を設けたものである。先端２１よりやや内側にストッパ２２を設けたのはハサミの先端２１を使って物を切る時に切り易いようにしたためである。
上記の他、種々の変形も考えられるが、それらもすべて本発明に含まれるものである。
図１３は本発明刃物により人３を刺そうとした時の一例である。ストッパ４、５、７、１３、１８、２３により、人３に刃物２が突き刺さらない原理を説明している。
【産業上の利用可能性】
【０００８】
古今東西、日本、外国でも刃物による殺傷事件は絶えない。銃規制の日本では最大の犯罪道具となっている。本発明の刃物を普及させることにより、犯罪が激減し、人命が救われ、世の中に平和で安全な暮らしをもたらし、又犯罪対処の警察、司法裁判の費用の削減などに寄与する画期的な発明である。
【図面の簡単な説明】
【０００９】
【図１】公知刃物の側面図
【図２】公知刃物が人に刺さる側面図
【図３】本発明刃物実施例１の側面図
【図４】本発明刃物同上の正面図
【図５】本発明刃物実施例２の側面図
【図６】本発明刃物同上の正面図
【図７】本発明刃物実施例３の側面図
【図８】本発明刃物同上の正面図
【図９】本発明実施例４の側面図
【図１０】本発明同上の正面図
【図１１】本発明実施例５の飛出しナイフの側面図
【図１２】本発明実施例６のハサミの平面図
【図１３】本発明刃物が人に刺ささらない説明図
【符号の説明】
【００１０】
１                        把手
２                        刃
３                        人
４                        丸型ストッパ
５                        孔明角型ストッパ
６                        ５の孔
７                        リング状ストッパ
８                        刃物２の先端
９,９’ リング状ストッパ７を支持するアーム
１０                    上部刃
１１                    ストッパ支持アーム
１２                    アーム型ストッパ
１３                    本発明飛出しナイフの握り
１４        同上ピボット
１５        同上飛び出した刃
１６        同上刃先
１７        先がフラットなストッパ
１８        飛び出しバネが無い場合の刃部引出し用凹み又は穴
１９        本発明ハサミ
２０        同上刃
２１        同上刃先
２２        同上ストッパ
【図１】
2014018348.tif 000003
【図２】
2014018348.tif 000004
【図３】
2014018348.tif 000005
【図４】
2014018348.tif 000006
【図５】
2014018348.tif 000007
【図６】
2014018348.tif 000008
【図７】
2014018348.tif 000009
【図８】
2014018348.tif 000010
【図９】
2014018348.tif 000011
【図１０】
2014018348.tif 000012
【図１１】
2014018348.tif 000013
【図１２】
2014018348.tif 000014
【図１３】
2014018348.tif 000015
(57)【要約】【課題】ＡＢＳ樹脂を使用加工し、安全で安心な鉦叩きを提供する。【解決手段】ＡＢＳ樹脂を成型用金型に流し歪みを解消する為波状の模様を付け、外形も美しく、剛性で安全の向上が図れ、また資源環境に配慮した事を特徴とする鉦叩きである。【選択図】図２
2014018331.tif 000002
【特許請求の範囲】
【請求項１】
ＡＢＳ樹脂を押し出し後ペレット化し、歪みを取り除く為に、外周に波状の模様を付けた円筒状の金型に流し型取りをした後、表面を平らに削り、写真塗装を施し乾燥の後、円筒の中央部にホゾ穴をあけ、猛宗竹を使用した取っ手を付けることを特徴とする鉦叩き。
【発明の詳細な説明】
【技術分野】
【０００１】
本発明はＡＢＳ樹脂を金型にて成型加工した鉦叩きに関するものである
【背景技術】
【０００２】
従来、鹿の角と木製で作った鉦叩きがあった
【発明の概要】
【発明が解決しようとする課題】
【０００３】
そのために、つぎのような問題点があった。
（イ）鹿の角で作られた鉦叩きは、祭り等で使用される時、若者が力任せに叩く為、欠けたり、先が綻びる事により安全性に欠けている。
（ロ）ＡＢＳ樹脂の成型により、安全で安心な鉦叩きを提供する。
本発明は、これらの問題点を解決するためにされたものである。
【課題を解決するための手段】
【０００４】
ＡＢＳ樹脂を金型にて模型を付け、成型後写真塗装したものである。
以上を特徴とする鉦叩きである。
【発明の効果】
【０００５】
樹脂を金型にて成型する事により、バランスのとれた安全な鉦叩きを安心供給することが出来る。
【図面の簡単な説明】
【０００６】
【図１】本発明の側面図
【図２】本発明の完成図
【発明を実施するための形態】
【０００７】
以下、本発明の実施の形態について説明する。
（イ）ＡＢＳ樹脂を長さ１２０ｍｍ×直径２５ｍｍの棒状の金型に流し、その時歪みを解消するために金型の周囲に波状の模様を付けた後、中央部に取っ手を取り付けるためのホゾ穴２５ｍｍ×８ｍｍを貫通させる。
（ロ）表面に印刷塗装を行う。
（ハ）柄は乾燥した猛宗竹の表面を残し、内側を削り長さ３００ｍｍ×幅２５ｍｍ×厚さ８ｍｍに加工する。
（ニ）鉦叩き本体中央のホゾ穴に柄を削り合わせ取り付ける、柄の戻り防止のため、真鍮釘長さ３２ｍｍ×径２．５ｍｍの釘穴をあけ釘を打ち込み長さを面に合わせて調整する。
本発明は、以上の構成により成り立っている。
ＡＢＳ樹脂を使用した鉦叩きは従来の鹿の角或いは木製の鉦に比べ、剛性、硬度、加工、耐衝撃性に優れ、安全で印刷特性も優れている。
【符号の説明】
【０００８】
１、ＡＢＳ樹脂を棒状の金型、長さ１２０ｍｍ×直径２５ｍｍに流し込み、その時に発生する歪みを解消する為に、棒状の周囲に波状の模様をつける。
２、棒状の中央部に長さ方向２５ｍｍ×径方向８ｍｍのホゾ穴をあける。
３、柄は乾燥した猛宗竹の表面を使って、長さ３００ｍｍ×幅２５ｍｍ×厚み８ｍｍに仕上げる。
４、鉦叩き本体中央部のホゾ穴に柄を削り合わせて取り付け、戻り防止の真鍮釘３２ｍｍ×径２．５ｍｍを釘穴をあけた後打ち込み、長さ面に合わせて調整する。
【図１】
2014018331.tif 000003
【図２】
2014018331.tif 000004
(57)【要約】      （修正有）【課題】深呼吸を容易に気持ちよく楽しく、より効果的に行えるように工夫した、深呼吸器を提供する。【解決手段】円錐台状の有色透明な空気取り入れ口１の底部に、取っ手２が空気取り入れ口１の両方向のどちらからでも接続可能な取っ手接続用パイプ４を設け、取っ手２の一端に鼻当て部３を設け、鼻当て部３と反対側の取っ手２の先端にフィルター５を装着したことを特徴とする。【選択図】図１
2014018642.tif 000002
【特許請求の範囲】
【請求項１】
空気取り入れ口（１）の底部に、取っ手（２）が空気取り入れ口（１）の両方向のどちらからでも接続可能な取っ手接続用パイプ（４）を設け、取っ手（２）の一端に鼻当て部（３）を設け、鼻当て部（３）と反対側の取っ手（２）の先端にフィルター（５）を装着したことを特徴とする深呼吸器。
【発明の詳細な説明】
【技術分野】
【０００１】  この発明は、深呼吸を容易に、気持ち良く楽しく、より効果的に行えるように工夫した、深呼吸器に関するものである
【背景技術】
【０００２】  従来、深呼吸をするための道具は、呼吸数や呼吸量を測定して深呼吸を促すものであった。（特許文献１，特許文献２参照）
【先行技術文献】
【特許文献】
【０００３】
【特許文献１】特開２００４−３５８２００
【特許文献２】特開２００８−２２０６７４
【発明の概要】
【発明が解決しようとする課題】
【０００４】  これは、次のような欠点があった。
従来の深呼吸をするための道具は、深呼吸を促すための間接的なものや、呼吸数量に重点が置かれているものであった。
深呼吸が心身の健康に良いと分かっていても、わずらわしく、容易にできにくかった。
深呼吸は、日頃しようという意識にもなりにくく、忘れがちになるものであった。
深呼吸は、できるだけ気持ち良く楽しく、より効果的に行いたかった。
本発明は、以上のような欠点をなくすためになされたものである。
【課題を解決するための手段】
【０００５】  空気取り入れ口（１）の底部に、取っ手（２）が空気取り入れ口（１）の両方向のどちらからでも接続可能な取っ手接続用パイプ（４）を設け、取っ手（２）の一端に鼻当て部（３）を設け、鼻当て部（３）と反対側の取っ手（２）の先端にフィルター（５）を装着したことを特徴とする。
本発明は、以上の構成よりなる深呼吸器である。
【発明の効果】
【０００６】  深呼吸をするときのわずらわしさが少なく、深呼吸が容易に気持ち良く楽しくできる。
本深呼吸器の形状から、望むイメージが描きやすく、深呼吸をしようという意識が喚起されやすい。
本深呼吸器で深呼吸をすると、単なる深呼吸の効果だけでなく、視覚刺激、臭覚刺激やイメージの効果も加わる。
意識やイメージが心身に影響を与えることは明らかであるので、本心呼吸器による深呼吸は心身の健康にとってより効果的である。
【図面の簡単な説明】
【０００７】
【図１】本発明の斜視図である。
【図２】本発明の側面からの一部断面図である。
【図３】本発明の一方からの正面図である。
【図４】本発明の他方からの正面図である。
【発明を実施するための形態】
【０００８】  以下、本発明を実施するための形態について説明する。
円錐台状の有色透明な空気取り入れ口（１）の底部に、取っ手（２）が空気取り入れ口（１）の両方向のどちらからでも接続可能な取っ手接続用パイプ（４）を設ける。
取っ手（２）の一端に鼻当て部（３）を設ける。
鼻当て部（３）と反対側の取っ手（２）の先端にフィルター（５）を装着する。
本発明は、以上のような構造である。
本発明を使用するときは、空気取り入れ口（１）が好みの方向になるように、取っ手（２）を取っ手接続用パイプ（４）に接続する。
取っ手（２）の先端にフィルター（５）を装着する。
深呼吸器の鼻当て部（３）が鼻の周囲の顔面に密着するように当て、取っ手（２）を手で握り、姿勢を正して、口から静かに息を吐き切ってから鼻から静かに深く吸い込む。
これを何回か繰り返す。
鼻当て部の反り返りを利用してバンドを取り付け、手を使わずに耳や頭に固定して使用してもいい。
空気取り入れ口（１）の向きを外側に向ければ、自然エネルギーを吸い込んでいるイメージが描きやすく、空気取り入れ口（１）の向きを内側に向ければ、自然エネルギーを浴びているイメージが描きやすい。
空気取り入れ口（１）の色は、ピンク色透明・緑色透明・青色透明・黄色透明など、色彩効果と視野を考慮する。
全体の色を同色系で統一すれば、望むイメージがより描きやすい。
空気取り入れ口（１）に文字や絵を描いてイメージを強化することもできる。
フィルター（５）を空気清浄フィルターにすれば、きれいな空気で深呼吸ができる。
また、フィルター（５）に、ハーブやフルーツなど好みの香りを添加して臭覚を刺激してリラックスすることもできる。
フィルター機能だけが欲しいときには、取っ手にフィルターを装着して、取っ手だけでも使用できる。
息を吐くときに、声を発しながら行えば、聴覚も刺激できる。
深呼吸と共に視覚・臭覚・聴覚・触覚などの感覚を動員すれば、単なる深呼吸効果だけでなく、望むイメージも描きやすくなり、深呼吸を行うメリットが多くなる。
空気取り入れ口の方向・装着方法・色・香り・声を発する時のことば・描く文字や絵、それらの組合せは、その時の気分、好み、期待する効果に合わせて使い分ける。
【符号の説明】
【０００９】１  空気取り入れ口
２  取っ手
３  鼻当て部
４  取っ手接続用パイプ
５  フィルター
【図１】
2014018642.tif 000003
【図２】
2014018642.tif 000004
【図３】
2014018642.tif 000005
【図４】
2014018642.tif 000006
(57)【要約】      （修正有）【課題】現状の洗浄具は、洗浄化成分を多く使用し、環境に悪影響を与える。又、洗浄対象物の細部までの洗浄が出来ない、乾燥に時間を要し不衛生である等の問題があり、改善を要望されており、これらを緩和する事を提供する。【解決手段】ナイロン・ポリエステル等の熱可塑性繊維を使用し、第一網シート１と第三網シート３の中に第二網シート２を挟み込み、網フリル４は複数枚の長帯状布を第三網シートに螺旋状に縫着した。第二網シートにて洗浄化成分を少量にて保つことが出来、第１網シート、第三網シート、網フリルにより泡立ちを高める事が出来て、洗浄化成分を節約出来る、又、柔軟性のある熱可塑性繊維を使用している為に、洗浄対象物の細部を洗浄する事が出来、全ての素材が浸透性の無い繊維であり、メッシュ構造となっている為、乾燥が早く衛生的である。【選択図】図２
2014018643.tif 000002
【特許請求の範囲】
【請求項１】
第一網シートと第三網シートの中に第二網シートを挟み込み、網フリルは複数枚の長帯状布を第三網シートに螺旋状に縫着したことを特徴とした洗浄具。
【発明の詳細な説明】
【技術分野】
【０００１】  本発明は、例えば食器、台所回り、浴槽回りなどの擦り洗いに使用される洗浄具に関するものである。
【背景技術】
【０００２】  従来、この種の洗浄具としては、スポンジ、アクリルタワシ、ブラシなどが知られている。
【発明の概要】
【発明が解決しようとする課題】
【０００３】ところが、スポンジにおいては、洗浄化成分分量を比較的多く使用する必要があり、家庭内汚水として排出され、環境問題となっている場合がある、又、スポンジは構造上気泡部分に多量の水分を吸収する為、乾燥に時間を要し、衛生面での問題が懸念されている、又、素材の特性上、洗浄対象物の細かい部分の洗浄が難しい点も問題となっていて、改善が要望されていた。
又、アクリルタワシにおいても紡績繊維の為、水分を多量に吸収し乾燥に時間を要し、改善が要望されていた。【０００４】本発明は斯かる事情に鑑みてなされたものであり、洗浄化成分の浸透性を有しない素材を用い、多重構造にする事により少量使用の洗浄化成分で泡立ちを提供する事が出来、又、浸透性を有しない素材を用いた多重構造である為、水切れも早く、乾燥に要す時間を短縮する事、又、素材が柔軟性を有する為、洗浄対象物の細部まで洗浄出来る事を提供する事を目的とした。
【発明を実施するための形態】
【０００５】以下添付図面により、本発明の説明をする。
本洗浄具は、第一網シート１、第二網シート２、第三網シート３及び網フリル４で構成されます。第一網シート１と第三網シート３の間に、第二網シート２が介在され、各々の網シートの周縁部を縫着により結合されている。また、この網シートの上に、網フリル４を２枚合わせた帯状のものを螺旋状に縫製し、周縁部を縫着により結合されている。
【０００６】第一網シート１は、洗浄化成分を浸透しないナイロン等の熱可塑性繊維を使用し、若干の硬質のもので網目に形成されている、これにより洗浄対象物の汚れを取る事を目的とする。
【０００７】第二網シート２は、熱可塑性繊維を使用したハニカム組織のシートであり、洗浄化成分を保つ役目と、クッション性を有する事を目的とする。
【０００８】第三網シート３は、熱可塑性繊維を使用し、網フリルで発生させた、洗浄化成分の泡を保つ役目を目的とする。
【０００９】網フリル４は、熱可塑性繊維を複数枚の長帯状布とし、洗浄化成分を泡立てる事を目的とし、螺旋状に縫着する事により、視覚的美観を保つと共に泡立てを容易にする事を目的とする。
【発明の効果】
【００１０】本発明によれば、第二網シートにて洗浄化成分を少量にて保つことが出来、第１網シート、第三網シート、網フリルにより泡立ちを高める事が出来て、洗浄化成分を節約出来る、又、柔軟性のある熱可塑性繊維を使用している為に、洗浄対象物の細部を洗浄する事が出来、全ての素材が浸透性の無い繊維であり、メッシュ構造となっている為、乾燥が早く衛生的である。
【図面の簡単な説明】
【００１１】
【図１】本発明に係る洗浄具上面外観図である。
【図２】本発明に係る洗浄具Ａ−Ａ断面拡大図である。
【符号の説明】
【００１２】１  第一網シート
２  第二網シート
３  第三網シート
４  網フリル
【図１】
2014018643.tif 000003
【図２】
2014018643.tif 000004
(57)【要約】      （修正有）【課題】乗り物搭乗時や公共の場で仮眠を取ろうとすると、寝顔を周囲に晒してしまい、快適な仮眠を取る事は不可能だったのでこれを解決する。【解決手段】ネックピロー１にフェイスカバー２を設けた。【選択図】図１
2014018624.tif 000002
【特許請求の範囲】
【請求項１】
ネックピロー本体に一体型のフェイスカバーを設け、周囲に寝顔を晒す事無く安眠できるフェイスカバー付ネックピローである。
【請求項２】
ネックピロー本体に設けたフェイスカバーを着脱できるようにすることにより、手軽に洗濯ができ、常に清潔に使用できるフェイスカバー付ネックピローである。
【発明の詳細な説明】
【技術分野】
【０００１】本発明は仮眠時における睡眠を快適に行う為のフェイスカバー付ネックピローに関する
【背景技術】
【０００２】従来のネックピローは首の周りに逆Ｕ字型のクッション材を取り付けることにより、座席に座った状態において仮眠しているときに、首部ないし頭部が左右に振れるのを防ぐためのものとして、また、首に直接装着することにより、座席に固定する事無く手軽に使用できる物は既に使用に供されている。
【先行技術文献】
【特許文献】
【０００３】
【特許文献１】特開平９−１６８４５０号公報
【特許文献２】特開２００４−２２３２０３号公報
【発明の概要】
【発明が解決しようとする課題】
【０００４】従来のネックピローは寝顔を周囲の人に見られてしまい、快適に仮眠をすることが出来なかった。本発明は以上の問題点を解決するものである。
【課題を解決するための手段】
【０００５】ネックピローを装着した際に、後頭部にくる位置から、顔面を包み込むようにフェイスカバーを取り付ける。
【発明の効果】
【０００６】フェイスカバーを取り付ける事により寝顔を周囲に晒す事無く、快適に仮眠をとる事が出来る。
【図面の簡単な説明】
【０００７】
【図１】本発明装着時の斜視図
【図２】本発明の斜視図
【図３】本発明のネックピロー部分の平面図
【図４】本発明のフェイスカバー部分の平面図
【図５】本発明のフェイスカバー部分応用例の平面図
【発明を実施するための形態】
【０００８】以下、本発明の実施の形態を、図面を用いて説明する。図３で示した逆Ｕ字型のネックピロー（１）後端の周縁部近傍の位置に設けた縫合位置（４ａ）と縫合位置（４ｂ）に、図４で示した長方形を用いた布製のフェイスカバー（２）の両端上部に設けた縫合位置（５ａ）と縫合位置（５ｂ）を縫合し、一体型とする。  縫合位置は図３の縫合位置（４）と、図４の縫合位置（５）を参照する。
【０００９】図３で示す縫合位置（４ａ）と縫合位置（４ｂ）は、図面の中心線に対し対称に設ける。縫合位置（４ａ）と縫合位置（４ｂ）の間隔は１０ｃｍを好ましいとするが、デザイン性やフェイスカバー（２）に用いられる素材を考慮する場合においては１０ｃｍ以上もしくは１０ｃｍ以下の間隔を設ける事も勿論可能である。
【００１０】図４で示したフェイスカバー（２）の横幅は、装着時の使用者の頭囲を日本人平均の５６ｃｍとし、図１に示す縫合位置（４ａ）から顔面周囲を通りもう１つの縫合位置（４ｂ）までを結んだ長さよりも長く設計する。フェイスカバー（２）上部を折り込み縫合することにより、トンネル状のゴム通し穴（６）が形成出来る。そのゴム通し穴（６）に、縫合位置（４ａ）から顔面周囲を通りもう１つの縫合位置（４ｂ）までを結んだ長さより短い長さのゴムを通し両端を縫合する。それにより、フェイスカバー（２）全体が横方向に伸縮し、図１のように装着した場合においての、頭外周のサイズや首を傾ける方向によって起こる過度の緩みや締めつけを軽減できる。勿論上記で記述した頭囲は５６ｃｍとあるが、これは日本人男性の２０代平均値を元に設定しているため、女性用や子供用、老人用に本発明を設計する場合においては５６ｃｍ以上または５６ｃｍ以下で設計していくことも可能である。
【００１１】図４に示したフェイスカバー（２）の中央部分を鼻と口が剥き出しになるよう台形に切り抜き、切り抜いた部分にメッシュ生地を覆うように縫合しの呼吸口（３）を設ける。
【００１２】図４では呼吸口（３）の形は台形、数は１つとなっているが、デザイン性やファッション性も考慮する場合においては、台形ではなく丸形や四角形、その他の形を適用させる事も出来、数も２箇所、又は３箇所など、複数設ける事も可能である。
【００１３】図面の呼吸口（３）に縫合する素材はメッシュ生地とあるが、デザイン性やファッション性も考慮する場合においては、他にもレース生地やガーゼ生地等の通気性に優れた素材を使用できる事は勿論可能である。
【００１４】夏場や高温の室内での状況下で使用する場合においては、暑さにより顔面が蒸れるといった事象が起こるため、図面にもある呼吸口（３）を廃し、フェイスカバー（２）全体を上記でも挙げた通気性に優れた素材のみで構成する事も可能である。
【００１５】図３の縫合位置（４）と図４の縫合位置（５）をボタンと輪状のゴムといった組み合わせに変える事によりネックピローとフェイスカバーを着脱式に応用することも出来る。これに拠り口や鼻が当たり汚れ易くになるフェイスカバー（２）を手軽に洗濯する事ができ、永く清潔に使用することが可能である。勿論、ボタンと輪状のゴムの組み合わせを面ファスナーで代用することも出来る。
【００１６】図４に示したフェイスカバー（２）は長方形だが、図５の（Ａ）部分ようにカットして六角形を応用することも可能である。こうすることによりフェイスカバー（２）自体が顔面を正面から見た時の形に近くなり、図１に示した装着時の顎部分に掛かる余分な布を減らし、より快適に使用することが可能である。勿論、ファッション性も考慮する場合においては、キャラクターや動物の顔の形等、機能面、デザイン面共に様々な形で形成する事が可能である。
本発明は以上の様な構造である。
【００１７】図１に示した装着時の図面では鼻筋に掛かる位置で使用しているが、目を覆える位置まで引き上げアイマスクとして使用できることは勿論である
【符号の説明】
【００１８】１ネックピロー  ２フェイスカバー  ３呼吸口  ４ａ・４ｂ縫合位置  ５ａ・５ｂ縫合位置  ６ゴム通し穴
【図１】
2014018624.tif 000003
【図２】
2014018624.tif 000004
【図３】
2014018624.tif 000005
【図４】
2014018624.tif 000006
【図５】
2014018624.tif 000007
(57)【要約】      （修正有）【課題】シングルサイズの布団（掛け・敷き）をダブルサイズとして使用する時、縫い合わせると取り扱いが不便となり、並べ敷いてシーツで覆っても間に段差を生じ且つ就寝中に離れてしまう、シングルサイズの布団を二組をダブルサイズとして一体で使用できるシーツを提供する。【解決手段】クッション材の両側にシングルサイズ用の布団を入れるシーツを配し、シングルサイズの布団１間に段差が生じること防ぐと共に、布団同士の分離を防ぎ、シングルサイズ用の布団を入れるシーツの形状を２枚三方開きとして布団の出入を容易に行えるようにし、シングルサイズの布団１二組をダブルサイズの布団として使用する事を可能にする。【選択図】図１
2014018627.tif 000002
【特許請求の範囲】
【請求項１】
シングルサイズの布団（掛け・敷き）をダブルサイズとして使えるシーツ。
【請求項２】
シングルサイズの布団（掛け・敷き）をダブルサイズとして使う時、布団の接合部にクッション材をいれ、布団の間に段差が生じないシーツ。
【請求項３】
シングルサイズの布団（掛け・敷き）をダブルサイズとして使う時、シングルサイズの布団が就寝中に離れないシーツ。
【請求項４】
シングルサイズの布団（掛け・敷き）をダブルサイズとして使う時、片側各二枚三方開き形状で、片側上下２枚のシート接着部をマジックテープ等で加工した、布団の出し入れが容易なシーツ。
【発明の詳細な説明】
【技術分野】
【０００１】本発明は、シングルサイズの布団（掛け・敷き）をダブルサイズとして使う時に一体化して使用できるシーツに関するものである。
【背景技術】
【０００２】従来は、シングルサイズの布団（掛け・敷き）をダブルサイズの布団として使用する時はシングルサイズの布団同士を接して敷いて両方の布団をカバーするサイズのシーツで全体を覆うか又はシングルサイズの布団同士を縫い合わせる方法がある。
【発明の開示】
【発明が解決しようとする課題】
【０００３】シングルサイズの布団を縫い合わせると取り扱いが不便、又シングルサイズの布団を接して敷きシーツを被せたとしても間に段差が出来且つ就寝中に離れてしまう。
本発明はこれらの問題を解決する為になされたものである。
【課題を解決するための手段】
【０００４】シングルサイズの布団（掛け・敷き）二組に被せられる、シングルサイズ布団用のシーツの接合部にクッション材を入れて一体化したシーツである。
【発明の効果】
【０００５】シーツの中央接合部にクッション材を入れ、その両側にシングルサイズ布団用シーツ付けて布団を入れれば、接合部に段差を生じなく、布団同士も離れる事も防げる。
【発明を実施するための形態】
【０００６】二組のシングルサイズの布団（掛け・敷き）をダブルサイズの布団として使用出来、中央接合部がクッション材で、両側にシングルサイズの二枚三方開きのシーツをつけ布団の出し入れを用意にしたもの又クッション材とは袋状に羽毛等を封入したもの。
【図面の簡単な説明】
【０００７】
【図１】シングルサイズ布団二組に掛けたシーツ
【図２】シーツの側面図  （平面図の→方向から）
【図３】シーツの平面図
【図４】シーツの開閉形状
【符号の説明】
【０００８】（１）シングルサイズの布団、（２）接合部のクッション材、（３）シングルサイズ布団用シーツ、（４）シーツ端部の接合部、（５）シーツ接着部
【図１】
2014018627.tif 000003
【図２】
2014018627.tif 000004
【図３】
2014018627.tif 000005
【図４】
2014018627.tif 000006
(57)【要約】      （修正有）【課題】ＰＴＰ包装から薬を簡単に取り出すことができる仕組みを提供する。【解決手段】木製、金属製又は、合成樹脂製の本体下部１に、円型と楕円型の複数の穴２があり、穴の位置と薬剤シート（ＰＴＰ包装）を合わせるフィルム８を設け、薬の受け皿を兼ねる。薬を押し出す突起物３のある本体上部８とは、ちょうつがい４により接合され可動する。使用するときは、クスリぽんを台に置き、本体上部を上げ（開き）、本体下部の位置合わせフィルムの下に、薬剤シート（ＰＴＰ包装）を、挟み込み、本体上部を下ろし使用する。本体平面にクスリよりやや大きめの穴を設けその上にシートを乗せて上から押すと簡単に取り出せる。【選択図】図１
2014018626.tif 000002
【特許請求の範囲】
【請求項１】
本体下部に、薬を受ける穴を設けることを、特徴とするクスリぽんである。
【請求項２】
穴は薬の大きさにより、複数設けることを、特徴とする請求項１記載のクスリぽん。
【請求項３】
クスリぽんは、本体は木製、金属製、又は、合成樹脂製（色つき、半透明、透明の各種を含む）であり、本体下部に、円形、楕円形の複数穴があり、穴の位置と薬剤シート（ＰＴＰ包装）を合わせるフィルムを設けたもので、薬の受け皿を兼ねている。
薬を押し出す突起物のある本体上部とは、ちょうつがい又は、ちょうつがいの役割を、する物で接合され可動する。
【発明の詳細な説明】
【技術分野】
【０００１】この発明は、薬剤シート（ＰＴＰ包装）に、密封された薬を、安全で簡単に取り出せる仕組みに関するものである。
【技術背景】
【０００２】従来この様な物がない。
図に示す様に、薬の大きさよりやや大きめの穴を、設けて、薬を、穴の位置に合わせて、上から押すと薬がシート（ＰＴＰ包装のアルミ）を、破いて出すものである。
【先行技術文献】
【０００３】
【特許文献】
【特許文献】無
【非特許文献】
【非特許文献】無
【発明の概要】
【発明が解決しようとする課題】
【０００４】この発明は、指先の力が衰えた人が、簡単にＰＴＰ包装の薬を取り出せ、包装角で指に、怪我をしたり爪を傷めたり、また、薬を転がり落とすなどの悩みを解決することを、課題とする。
【課題を解決するための手段】
【０００５】以上の課題を、解決するために、第一発明は、薬剤シート（ＰＴＰ包装）から簡単に取り出せることを、特徴とするクスリぽんである。
第二発明は、片手が障害等で不自由な人でも、もう片方の親指で軽く押すだけで容易に薬の取り出せる事を、特徴とするクスリぽんである。
【発明の効果】
【０００６】この発明は、薬剤シート（ＰＴＰ包装）に密封されたクスリを、安全で簡単に取り出せる。
【図面の簡単な説明】
【０００７】
【図１】本発明の一実施形態を、示す斜視図である。
【図２】本発明の使用方法を、示す斜視図である。
【発明を実施するための形態】
【０００８】以下、本発明を、実施するための最良の形態について説明する。
クスリぽんは、本体は木製、金属製又は、合成樹脂製で、本体下部に、円型と楕円型の複数の穴があり、穴の位置と薬剤シート（ＰＴＰ包装）を合わせるフィルムを設けた物で、薬の受け皿を兼ねている。
薬を押し出す突起物のある本体上部とは、ちょうつがいにより接合され可動する。
本発明は、以上のような構造である。
これを使用するときは、クスリぽんを台に置き、本体上部を、上げ（開き）本体下部の位置合わせフィルムの下に、薬剤シート（ＰＴＰ包装）を、挟み込み、本体上部を下ろし使用する。
【符号の説明】
【０００９】１  クスリぽん本体下部
２  穴
３  突起物
４  ちょうつがい
５  クスリぽん本体上部
６  薬剤シート（ＰＴＰ包装）
７  押す
８  位置合わせフィルム
【図１】
この発明の一実施形態を示す斜視図である。
【図２】
使用方法を示す斜視図である。
【符号の説明】
【００１０】１  クスリぽん本体下部    ５  クスリぽん本体上部
２  穴                    ６  薬剤シート（ＰＴＰ包装）
３  突起物                ７  押す
４  ちょうつがい          ８  薬剤シート（ＰＴＰ包装）を合わせるフィルム
【図１】
2014018626.tif 000003
【図２】
2014018626.tif 000004
(57)【要約】      （修正有）【課題】既製、既存のオープン棚に組み合わせて使用し、オープン棚に耐落下性を持たせることを可能にする落下防止スライドバーの提供。【解決手段】オープン棚と隙間が生じるように設計されたサイドレール１対をオープン棚に固定し、生じた隙間にスライドバーを渡すことで、オープン棚の収納物が落下することを防ぐ。【選択図】図３
2014018628.tif 000002
【特許請求の範囲】
本棚の左右両サイドの枠柱の正面側に、本棚各段の一般的寸法高である縦約３０ｃｍより若干（数ｃｍ）短く、長さ２５ｃｍ程度のレール軸の両端に直角に２０ｍｍ前後の短いアームが延びて、浅いコの字状に形成され、レール軸の片端の少し（スライドバーの径程度）手前にアームと同方向に僅かに出っ張ったバーストッパーを形成し、アーム先端にレール軸と平行に・アームの外側方向に直角に数ｍｍ長さのミミをビス留め付け部として設けたサイドレールを有しており、このように形成されたサイドレールを本棚の枠柱にビス止めするのであるが、この時アームによって枠柱とレール軸との間に生まれる左右両サイドの隙間に、レール軸またはアームより僅かに外側にはみ出る程度の長さのスライドバーを橋渡しさせ、スライドバーの両端にはサイドへの抜け落ち防止用のネジ式着脱式のキャップを設けたことを特徴とするオープン棚からの落下防止組体。
【発明の詳細な説明】
【技術分野】
【０００１】  本発明は、地震発生時に、オープン棚の収納物に対する落下防止を目的とする器具に関するものである。
【背景技術】
【０００２】  従来においては、本棚を例とするオープン棚は、扉はなく箱本体と棚板のみの構成のものが、先行技術として多い。滑り止めシートに本を載せる構造で本の落下を防止しようとするもの（特許文献１参照）や、棚にある収容物を飛び出しを飛び出し防止部の開閉で防ぐ（特許文献２参照）というような先行技術も知られている。
【先行技術文献】
【０００３】
【特許文献１】特許公開２００８−３０１９８０号  公報
【特許文献２】実用新案公開平５−２３９４２号  公報
【発明の概要】
【発明が解決しようとする課題】
【０００４】  オープン棚は、オープン棚は、出し入れが簡単な半面、地震などの揺れが発生した際に、本などの収納物が棚を飛び出して落下してしまう危険性があった。滑り止めシートを利用した落下防止の方法は、本が滑り止めシートの上に接触しているうちは有効だが、地震で揺さぶられて接触が離れるような場合は落下の危険性が大きかった。飛び出し防止部の開閉による方法は、ハンドルやレバーを介してバーを移動させて棚の開口部を開放したり閉鎖したりするもので、非常に仰々しく複雑で、日常的に卑近な使い方には不向きであった。
本発明は、以上のような問題点を解決するためになされたものである。
【課題を解決するための手段】
【０００５】  本棚の左右両サイドの枠柱の正面側に、本棚各段の一般的寸法高である約３０ｃｍより若干（数ｃｍ）短いサイドレールを設ける。サイドレールは長さ２５ｃｍ程度のレール軸の両端に直角に２０ｍｍ前後の短いアームが延びて、浅いコの字状に形成され、レール軸の片端の少し（スライドバーの径程度）手前にアームと同方向に僅かに出っ張ったバーストッパーを形成し、アーム先端にレール軸と平行に・アームの外側方向に直角に数ｍｍ長さのミミをビス留付け部として設ける。このように形成されたサイドレールを本棚の枠柱にビス止めするのであるが、この時アームにより枠柱とレール軸との間に生まれる左右両サイドの隙間に、レール軸またはアームより僅かに外側にはみ出る程の長さのスライドバーを橋渡しさせ、スライドバーの両端にはサイドへの抜け落ち防止用のネジ式着脱式のキャップを設ける。
以上を特徴とするオープン棚からの落下防止組体である。
【発明の効果】
【０００６】  既存、既製のオープン棚につけることにより、地震など揺れが生じた際に安易に収納物が落下することを防ぐことが可能になる。扉付きの収納はオープン棚より相場的に高価だが、対してこちらを使えば安価なオープン棚を以って安価に収納物の落下防止を行える。
【図面の簡単な説明】
【０００７】
【図１】本発明の正面から見た図
【図２】本発明の側面から見た図
【図３】本発明の実施例を示す
【発明を実施するための形態】
【０００８】  本発明は［図１］［図２］のとおり、サイドレール１対と、スライドバーの組み合せで構成され、使用イメージは［図３］のとおりである。
［図３］を例とする、オープン棚に耐落下性を持たせる方法は次のような方法で行う。
（イ）オープン棚の左右側板の前面小口にサイドレール（１）を取り付ける。耐落下性を持たせたい収納部分の上端寄せにサイドレール（１）を配置し、ミミ（２）にビスなどを通すことでオープン棚に固定する。
（ロ）オープン棚とサイドレール（１）のレール軸（３）の間に生じたアーム（７）の長さ分の隙間に、スライドバー（４）を左右をまたぐように通し、オープン棚の外側からスライドバー（４）両端にそれぞれキャップ（５）をつける。
本発明は以上のような構成であり、これを実際に使用してオープン棚に耐落下性を持たせるには、以下のように行う。
（ハ）収納物を出し入れする際は、スライドバー（４）を上方に持ち上げ、サイドレール（２）が有するくぼみであるバーストッパー（６）より上にスライドバー（４）を押し上げる。そうすることでスライドバー（４）はバーストッパー（６）の上に乗っかる形で停止し、オープン棚から収納物の出し入れを妨げない状態が出来上がる。
（ニ）収納物の出し入れ動作をしない通常時は、スライドバー（４）をストッパー（６）下に押し下げた状態とする。それにより、収納物の前にスライドバー（４）が横たわっている状態を保持し、地震などの際にオープン棚から収納物が落下することを妨げられるようになる。
【符号の説明】
【０００９】（１）サイドレール    （２）ミミ    （３）レール軸    （４）スライドバー
（５）キャップ    （６）バーストッパー    （７）アーム
【図１】
2014018628.tif 000003
【図２】
2014018628.tif 000004
【図３】
2014018628.tif 000005
(57)【要約】【課題】  本発明は、仏壇にお供えするお線香の煙で、仏壇の中や位碑などが汚れて掃除をするのが大変なので、煙が少ないお線香をお供えすると、香炉の中の灰に差してある部分が燃え残り、数日経過するとお線香が差しにくくなるが、その燃えさしなどを簡単に選別除去できるお線香立て灰電動式クリーナーを提供する。【解決手段】  把っ手の中に電源電池の格納部を設け、把っ手の上面の先端寄りの位置にスイッチを設け、筒箕の底面には網を設け、パイプ柄の先端が筒箕の外壁面の開口縁近くの任意の位置で結合され、結合部の下に筒箕に接地する形で振動モーターを取り付け、振動モーターは、把っ手に内蔵された電源電池からパイプ柄の中を通る配線によって接続していることを特徴とするお線香立て灰電動式クリーナー。【選択図】図１
2014018621.tif 000002
【特許請求の範囲】
【請求項１】
把っ手の中に電源電池の格納部を設け、把っ手の上面の先端寄りの位置にスイッチを設け、筒箕の底面には網を設け、パイプ柄の先端が筒箕の外壁面の開口縁近くの任意の位置で結合され、結合部の下に筒箕に接地する形で振動モーターを取り付け、振動モーターは、把っ手に内蔵された電源電池からパイプ柄の中を通る配線によって接続していることを特徴とするお線香立て灰電動式クリーナー。
【発明の詳細な説明】
【技術分野】
【０００１】  本発明は、仏壇にお供えするお線香の煙で、仏壇の中や位碑などが汚れて掃除をするのが大変なので、煙が少ないお線香をお供えすると、香炉の中の灰に差してある部分が燃え残り、数日経過するとお線香が差しにくくなるが、その燃えさしなどを簡単に選別除去できるお線香立て灰電動式クリーナーに関するものである。
【背景技術】
【０００２】  従来、お線香の煙で仏壇の中や位碑などが汚れたり、香炉の中の灰にお線香の燃えさしやマッチ棒などが刺さって香炉の中の灰が固くなっていた。
【発明の概要】
【発明が解決しようとする課題】
【０００３】  そのために、次のような問題点がある。
仏壇にお供えするお線香の煙で、仏壇の中や位碑などが汚れて掃除をするのが大変なので、煙が少ないお線香をお供えすると、香炉の中の灰に差してある部分が燃え残り、数日経過するとお線香が差しにくくなり、香炉の中にお線香を差す場所が少しずつ真ん中から外側端っこに広がるので、お線香の灰が香炉の淵に落ちて、回りが灰で汚れたりするため、割り箸やピンセットなどで燃え残りのお線香を取り出すのが厄介である。
本発明は、以上の問題点を解決するためになされたものである。
【課題を解決するための手段】
【０００４】  把っ手と把っ手の先端から延びたパイプ柄、及びパイプ柄の先端に取り付けた筒箕から成るお線香立て灰電動クリーナーにおいて、把っ手の中に電源電池の格納部を設ける。
把っ手の上面の先端寄りの位置にスイッチを設け、筒箕の底面に網を設ける。
パイプ柄の先端が筒箕の外壁面の開口縁近くの任意の位置で結合し、結合部の下に筒箕に接地する形で振動モーターを取り付ける。
振動モーターは、スイッチを通して、把っ手に内蔵された電源電池からパイプ柄の中を通る配線によって接続する。
以上の構成よりなるお線香立て灰電動式クリーナーである。
【発明の効果】
【０００５】  香炉の中のお線香の燃え差しや他の混入が除去され、灰が柔らかくなり、お線香の灰などで仏壇の中などが汚れなくなり、毎日のお務めも気持ちよく仏壇に手を合わせることが出来る。
【図面の簡単な説明】
【０００６】
【図１】  本発明の斜視図である。
【発明を実施するための形態】
【０００７】  以下、本発明の実施の形態について説明する。
把っ手（１）の中に電源電池（２）の格納部を設ける。
把っ手（１）の上面の先端寄りの位置にスイッチ（３）を設ける。
筒箕（５）の底面に網（６）を設ける。
パイプ柄（４）の先端が筒箕（５）の外壁面の開口縁近くの任意の位置で結合され、結合部の下に筒箕（５）に接地する形で振動モーター（７）を取り付ける。
振動モーター（７）は、把っ手（１）に内蔵された電源電池（２）からパイプ柄（４）の中を通る配線によって接続している。
本発明は以上のような構造である。
本発明を使用するときは、筒箕（５）の開口縁で香炉の中の灰を梳くって、筒箕（５）の底の網の方から香炉の中にしっかり入れ直して、把っ手（１）に設けたスイッチ（３）を押すと振動モーター（７）が震え、筒箕（５）にある灰が落ちて、燃え差しやマッチ棒などが筒箕の中に残って除去される。
また、筒箕（５）の部分は、きれいに水洗いが簡単に出来る。
【符号の説明】
【０００８】    １    把っ手
２    電源電池
３    スイッチ
４    パイプ柄
５    筒箕
６    網
７    振動モーター
【図１】
2014018621.tif 000003